(57)【特許請求の範囲】
【請求項１】
巻取対象物を巻き取り・巻き解きするために回転するリール軸と、前記巻取対象物の巻き取り・巻き解きをガイドするように該リール軸の軸方向の端部に固定した側板とを含むリールに発生する前記側板の反りを矯正するリール矯正装置において、前記リール軸側とは反対側で前記側板の外面に対向しかつ前記リール軸の軸心延長上を交差する向きに直線状に配置するバネ部材と、前記側板の外周端部分に係合させる係合部材とを有し、前記バネ部材の両端部のそれぞれが前記係合部材に接続されていることを特徴とするリール矯正装置。
【請求項２】
請求項１記載のリール矯正装置において、前記バネ部材の両端部分に前記係合部材のそれぞれに接続する係止部を有していることを特徴とするリール矯正装置。
【請求項３】
請求項１記載のリール矯正装置において、前記係止部及び前記係合部材を相互に接続した線条部材を有していることを特徴とするリール矯正装置。
【請求項４】
請求項２又は３記載のリール矯正装置において、前記係合部材は前記側板の外周端部分において前記リール軸側の内面に対向する第１の板部と、前記リール軸側とは反対側で前記側板の外面に対向する第２の板部と、第１及び第２の板部を相互に連結しかつ前記側板の外周端面に当接させる底板部とを有していることを特徴とするリール矯正装置。
【請求項５】
巻取対象物を巻き取り・巻き解きするために回転するリール軸と、前記巻取対象物の巻き取り・巻き解きをガイドするように該リール軸の軸方向の端部に固定した側板とを含むリールに発生する前記側板の反りを矯正するリール矯正装置において、前記リール軸側とは反対側で前記側板の外面に対向しかつ前記リール軸の軸心延長上を交差する向きに直線状に配置するバネ部材と、前記側板の外周端部分に係合させる係合部材とを有し、前記バネ部材の一方端部のそれぞれが前記係合部材に接続されており、前記バネ部材の他方端部のそれぞれが前記リール軸設けた係止手段に係止されることを特徴とするリール矯正装置。
【請求項６】
請求項５記載のリール矯正装置において、複数の前記係止手段が前記リール軸とは別体な係止部材であることを特徴とするリール矯正装置。
【請求項７】
請求項５記載のリール矯正装置において、前記係止手段が前記リール軸に形成したリール係止部であることを特徴とするリール矯正装置。
【請求項８】
請求項５記載のリール矯正装置において、前記バネ部材の複数がが前記係止手段に係止されており、前記係合部材が前記側板の外周端部分に係合するように配置されることを特徴とするリール矯正装置。
【請求項９】
請求項５記載のリール矯正装置において、前記バネ部材は前記係止手段に係止する第１の係止部と、前記係合部材に接続した第２の係止部とを有していることを特徴とするリール矯正装置。
【請求項１０】
請求項５記載のリール矯正装置において、前記係合部材は前記側板の外周端部分において前記リール軸側の内面に対向する第１の板部と、前記リール軸側とは反対側の前記側板の外面に対向する第２の板部と、第１及び第２の板部を相互に連結しかつ前記側板の外周端面に当接させる底板部とを有していることを特徴とするリール矯正装置。
【請求項１１】
請求項４又は１０記載のリール矯正装置において、前記第１の板部は前記底板部からの長さ寸法が前記第２の板部よりも長い寸法であり、少なくとも前記第１の板部の上部が前記第２の板部の先端上方へ曲げられていることを特徴とするリール矯正装置。
【発明の詳細な説明】
【０００１】
【発明の属する技術分野】
本発明は、繊維糸や金属線等の糸、もしくは繊維帯や金属帯などの巻取対象物を巻き取り・巻き解きするために用いるリールにおいて、リールの側板の反りを矯正するリール矯正装置に属する。
【０００２】
【従来の技術】
従来、リールは、一例として図１０に示すように、従来から知られている電気コネクタに備える導電性のコンタクト８１を帯状に加工した中間加工状態の巻取対象物（帯形状体）８３を巻き取り・巻き解きするものである。
【０００３】
コンタクト８１は導電性の薄い金属帯板を所定形状に連続して打ちぬき、幅方向の両側に一対のキャリア８５を残してこれらのキャリア８５間にコンタクト８１が橋渡し接続されている帯形状体８３がリール８７に巻き取られる。
【０００４】
このようなコンタクト８１の製造工程の一部で採用されるリール８７は、図１１（Ａ）及び図１１（Ｂ）に示したリール軸９１の軸方向の両端に一対の側板９３，９４が固定されている。
【０００５】
帯形状体８３は薄い金属板であることから、一対の側板９３，９４間に巻き取り・巻き解られるときに、変形したり傷つけられることがないように、側板９３，９４の材質としては帯形状体８３よりも軟質なダンボール紙や薄い樹脂板などが採用されている。
【０００６】
このような側板９３，９４は、板厚寸法が比較的薄いものであり、図１１（Ｂ）に示したように、しばしば平行な姿勢で一対の側板９３，９４の所定間隔を保てず、側板９３，９４に矢印方向Ａ，Ｂで示すような反りが発生する。図１１（Ｂ）では、二点鎖線で描いた線が互いに平行に一対の側板９３，９４が位置している正常な状態を示している。図１１（Ｂ）において実線で示した側板９３，９４は反りが発生した状態を示している。
【０００７】
図１１（Ｂ）によって明らかなように、一対の側板９３，９４に内向きに反りが発生すると、側板９３，９４間の所定間隔が狭くなってしまう。したがって、側板９３，９４間の所定間隔に対応した帯形状体８７を巻き取るときに、側板９３，９４の周端面や内側の側板９３，９４面に帯形状体８３が当たってしまい正常な巻き取り・巻き解きができない。また、帯形状体８３が変形してしまうことがある。
【０００８】
そこで、帯形状体をリールに巻き取り・巻き解く前に、側板９３，９４を人手によって正しい姿勢に矯正したり、側板９３，９４の所定間隔よりも大きい幅をもつバンドをリール８７に巻きつけておき、数日間それを放置することで、側板９３，９４の反りを矯正したりしている。
【０００９】
なお、側板９３，９４を矯正する装置としては、実開昭６３−１２３５６４号公報に、リールガイドをダンボールリールにおける両側のダンボール側板間に進入させてダンボール側板の反りを矯正する矯正装置が知られている。
【００１０】
【発明が解決しようとする課題】
しかしながら、側板９３，９４を人手によって矯正したり、バンドを一対の側板９３，９４間に巻き付けて、側板９３，９４の矯正するようにした場合には、多大な時間や手間がかってしまうという問題がある。
【００１１】
また、従来から知られている矯正装置は、時間や手間の問題を解消できるが、矯正のために、大掛かりな装置設備となってしまったり、装置の操作手順を理解しなければならないという煩わしい問題がある。
【００１２】
それ故に本発明の課題は、簡単な機構によって容易にリールの矯正ができるリール矯正装置を提供することにある。
【００１３】
【課題を解決するための手段】
本発明によれば、巻取対象物を巻き取り・巻き解きするために回転するリール軸と、前記巻取対象物の巻き取り・巻き解きをガイドするように該リール軸の軸方向の端部に固定した側板とを含むリールに発生する前記側板の反りを矯正するリール矯正装置において、前記リール軸側とは反対側で前記側板の外面に対向しかつ前記リール軸の軸心延長上を交差する向きに直線状に配置するバネ部材と、前記側板の外周端部分に係合させる係合部材とを有し、前記バネ部材の両端部のそれぞれが前記係合部材に接続されていることを特徴とするリール矯正装置が得られる。
【００１４】
また、本発明によれば、巻取対象物を巻き取り・巻き解きするために回転するリール軸と、前記巻取対象物の巻き取り・巻き解きをガイドするように該リール軸の軸方向の端部に固定した側板とを含むリールに発生する前記側板の反りを矯正するリール矯正装置において、前記リール軸側とは反対側で前記側板の外面に対向しかつ前記リール軸の軸心延長上を交差する向きに直線状に配置するバネ部材と、前記側板の外周端部分に係合させる係合部材とを有し、前記バネ部材の一方端部のそれぞれが前記係合部材に接続されており、前記バネ部材の他方端部のそれぞれが前記リール軸設けた係止手段に係止されることを特徴とするリール矯正装置が得られる。
【００１５】
【作用】
本発明の請求項１におけるリール矯正装置では、バネ部材を伸張して係合部材を側板の外周端部に取り付ける。そして、バネ部材は、一対の係合部材をリール軸側へ引っ張るように付勢するように設定されているので、このバネ部材の張力によって側板が外向きに矯正されることから側板の反りが正しい姿勢に矯正される。側板の反りを矯正した後はバネ板部材を伸張してから係合部材を側板の外周端部から取り外して、あるいはリール矯正装置を装着した状態で巻き取り・巻き解き作業を行ってもよい。
【００１６】
係合部材は、第１の板部を底板部からの長さ寸法が第２の板部よりも長い寸法とし、第１の板部の上部を第２の板部の先端上方へ曲げた形状としているので、第１の板部の上部が側板の内面に接している。
【００１７】
したがって、バネ部材は、このバネ部材の張力によって側板が外向きに矯正されるときに、第１及び第２の板部間の開きを防止することができる。
【００１８】
また、本発明の請求項５における複数のリール矯正装置は、バネ部材を係止部材に一方の係止部が係止し、他方の係止部を係合部材の第２の板部の穴へ係止する。
【００１９】
複数のリール矯正装置は、反りが存在する側板の状態によって増加したり減少させたりすることが可能である。ようするに、側板の反りの状態を矯正するために側板の外面に沿って適時配置して装着する。
【００２０】
【発明の実施の形態】
以下、図面を参照しながら、本発明のリール矯正装置の第１の実施の形態例を説明する。図１（Ａ）、図１（Ｂ）及び図２を参照して、第１の実施の形態例におけるリール矯正装置を用いて矯正されるリール１１は、リール軸１３と、このリール軸１３の軸方向の両端部に互いに平行に固定した一対の側板１５，１６とを有している。
【００２１】
リール軸１３は、繊維糸や金属線等の糸、もしくは繊維帯や金属帯などの巻取対象物（図示せず）を巻き取り・巻き解きするために回転する。一対の側板１５，１６は、例えば、ダンボール紙を円板形状に形成したものであり、巻取対象物が正しく巻き取り・巻き解かれるように巻取対象物を一対の側板１５，１６間にガイドする。
【００２２】
側板１５，１６の反りを矯正するリール矯正装置は、リール軸１３側とは反対側で側板１５，１６の外面のに対向しかつリール軸１３の軸心延長上を交差する向きに直線状に配置するコイル形状のバネ部材２１と、側板１５，１６の外周端部分に係合させる一対の係合部材２３，２４とを有している。
【００２３】
バネ部材２１の両端部のそれぞれは係合部材２３，２４とループ状の線条部材２７，２８を介して接続されている。バネ部材２１の両端部分には線条部材２７，２８のそれぞれに係止した係止部２１ａ，２１ｂを有している。係合部材２３，２４のそれぞれは、反りが発生した側板１５，１６の外周端部分に係合する。また、バネ部材２１の係止部２１ａ，２１ｂはバネ部材２１の両端部分を鍵状に曲げて形成されているが、線条部材２７，２８に係止すればよいので、これに限らず周知な係止形状に形成することができる。
【００２４】
係合部材２３，２４のそれぞれは、側板１５，１６の外周端部分においてリール軸１３側の内面に対向する第１の板部２３ａ，２４ｂと、リール軸１３側とは反対側で側板１５，１６の外面に対向する第２の板部２３ｂ，２４ｂと、第１及び第２の板部２３ａ，２３ｂ，２４ａ，２４ｂを相互に連結しかつ側板１５，１６の外周端面に当接させる底板部２３ｃ，２４ｃとを有している。
【００２５】
第２の板部２３ｂ，２４ｂには線条部材２７，２８をループ状に通すための穴２３ｄ，２４ｄが形成されている。なお、係止部２１ａ，２１ｂ及び係合部材２３，２４はこれらがループ状の線条部材２７，２８によって相互に接続されているが、バネ部材２１の係止部２１ａ，２１ｂを係合部材２３，２４の第２の板部２３ｂ，２４ｂの穴２３ｄ，２４ｄに直接係止してもよい。
【００２６】
さらに、係合部材２３，２４は、図３（Ａ）及び図３（Ｂ）に示すように、第１の板部２３ａ，２４ａを底板部２３ｃ，２４ｃからの長さ寸法が第２の板部２３ｂ，２４ｂよりも長い寸法とし、第１の板部２３ａ，２４ａの上部を第２の板部２３ｂ，２４ｂの先端上方へ曲げた形状（延長部分２３ｆ，２４ｆ）としてもよい。
【００２７】
以下に、この実施の形態例におけるリール矯正装置によって側板１５，１６の反りを矯正する作業について説明する。
【００２８】
先の従来例の説明で述べたように、側板１５，１６は、板厚寸法が比較的薄いものであり、図１１（Ｂ）において実線で示した側板１５，１６に反りが発生することがある。
【００２９】
そこで、側板１５，１６の反りを矯正するために、第１の実施の形態例に示したリール矯正装置を用いて側板１５，１６を正しい姿勢に矯正する。図１（Ａ）、図１（Ｂ）、図２及び図４を参照して側板１５，１６を矯正する作業を説明すると、まず、図２に示したリール矯正装置の一対の係合部材２３，２４を反りが発生した一方の側板１５の外周端部分の２個所に係合される。
【００３０】
さらに、具体的に説明すると、伸縮自在なバネ部材２１はリール軸１３側とは反対側で側板１５の外面に対向しかつリール軸１３の軸心延長上を交差する向きに直線状に配置される。この時、バネ部材２１を伸張して係合部材２３，２４を側板１５の外周端部に取り付ける。
【００３１】
バネ部材２１は、一対の係合部材２３，２４をリール軸１３側へ引っ張りながら、図１（Ｂ）に示したように、矢印方向Ｃへ付勢するように設定されているので、このバネ部材２１の張力によって側板１５が外向きに矯正されることから側板１５の反りが正しい姿勢に矯正される。側板１５の反りを矯正した後はバネ部材２１を伸張してから係合部材２３，２４を側板１５の外周端部から取り外して、あるいはリール矯正装置を装着した状態で巻き取り・巻き徒解き作業を行ってもよい。
【００３２】
図４は他方の側板１６に反りが発生した状態で、反りをリール矯正装置により矯正する例の要部を示している。なお、この例の説明では、一方の係合部材２３、線条部材２７、及びバネ部材２１を省略しているが、図１（Ａ）及び図１（Ｂ）で説明した状態を参考にして説明する。
【００３３】
係合部材２３，２４は、図４に拡大して示したように、他方の側板１６の外周端部分の内外面を第１及び第２の板部２３ａ，２３ｂ，２４ａ，２４ｂによって挟むように位置し、底板部２３ｃ，２４ｃが側板１６の外周端面に当接している。
【００３４】
そして、バネ部材２１は、係合部材２４をリール軸１３側へ引っ張るように付勢するように設定されているので、このバネ部材２１の張力によって側板１６が外向きに矯正されることから側板１６の反りが正しい姿勢に矯正される。側板１６の反りを矯正した後はバネ部材２１を伸張してから係合部材２３，２４を側板１６の外周端部から取り外して、あるいはリール矯正装置を装着した状態で巻き取り・巻き解き作業を行ってもよい。
【００３５】
図５は、図３（Ａ）及び図３（Ｂ）に示した係合部材２４を用いたリール矯正装置による他方の側板１６の矯正状態を示している。この係合部材２４を用いた場合には、第１の板部２４ａを底板部２４ｃからの長さ寸法が第２の板部２４ｂよりも長い寸法とし、第１の板部２４ａの上部を第２の板部２４ｂの先端上方へ曲げた形状（延長部分２４ｆ）としているので、第１の板部２４ａの上部が側板１６の内面に接している。
【００３６】
したがって、バネ部材２１は、このバネ部材２１の張力によって側板１６が外向きに矯正されるときに、第１及び第２の板部２３ａ，２３ｂ，２４ａ，２４ｂ間の開きを防止することができる。
【００３７】
図６はリール矯正装置の第２の実施の形態例を示している。この第２の実施の形態例におけるリール矯正装置は、図２に示したリール矯正装置の一方の係合部材２４及び両側の線条部材２７，２８が除かれた形態となっている。
【００３８】
また、バネ部材２１は図１（Ａ）に示した側板１５，１６と同等な大きさの側板１５，１６の反りを矯正するとすれば、図２に示したバネ部材２１の長手方向の寸法よりも短い寸法のバネ部材２１を採用する。
【００３９】
バネ部材２１は図２に示したように、一方の係止部２１ａと、係合部材に接続した他方の係止部２１ｂとを有している。他方の係止部２１ｂは係合部材２４の第２の板部２４ｂの穴２４ｄに直接係止している。
【００４０】
ところで、リール軸１３は、通常、円筒形状を呈しており、リール軸１３はその軸方向の両端に別体で設けた係止手段としての係止部材６１を有している。そこで、バネ部材２１はリール軸１３側とは反対側で側板１５，１６の外面に対向しかつリール軸１３の中心延長上を交差する向きに直線状に配置される。バネ部材２１の他方の係止部２１ｂは係合部材２４に接続されている。バネ部材２１の一方の係止部２１ａは係止部材６１に係止される。他方の係合部材２４は側板１５の外周端部分に係合される。
【００４１】
図６に示した３つのリール矯正装置では、３つのバネ部材２１の一方の係止部２１ａのそれぞれが係止部材６１に係止されており、３つのバネ部材２１に接続されている係合部材２４のそれぞれが側板１５の外周端部分に係合するように配置される。
【００４２】
図７に示した４つのリール矯正装置では、４つのバネ部材２１の一方の係止部２１ａのそれぞれが係止部材６１に係止されており、４つのバネ部材２１に接続されている係合部材２４のそれぞれが側板１５の外周端部分に係合するように配置される。
【００４３】
図６及び図７によって示したリール矯正装置によっても、バネ部材２１は、係合部材２４をリール軸１３側へ引っ張るように付勢するように設定されているので、このバネ部材２１の張力によって側板１５が外向きに矯正されることから側板１５の反りが正しい姿勢に矯正される。
【００４４】
なお、複数のリール矯正装置は、反りが存在する側板１５，１６の状態によって増加したり減少させたりすることが可能である。ようするに、側板１５，１６の反りの状態を矯正するために側板１５，１６の外面に沿って適時位置させて装着するようにすればよい。
【００４５】
図８（Ａ）及び図８（Ｂ）は、係止部材６１に代えて、リール軸１３の両端でリール軸１３の軸穴６５から放射状に延びている係止手段としての複数溝状のリール係止部６７が形成されている例である。このリール係止部６７には、バネ部材２１の一方の係止部２１ａを係止する。
【００４６】
図９は（Ａ）図９（Ｂ）は、係止部材６１に代えて、リール軸１３の両端でリール軸１３の軸穴６５と同心円状で軸穴６５よりも大きい係止手段としてのリール係止部６９が形成されている例である。このリール係止部６９には、バネ部材２１の一方の係止部２１ａを係止する。
【００４７】
【発明の効果】
以上説明したように、本発明のリール矯正装置によれば、バネ部材に係合部材を接続し、リールの側板の反りをバネ部材及び係合部材とによって矯正するようにしたので、巻取対象物の変形を防止することができ、しいては巻取対象物の巻き取り・巻き解きを円滑になすことができる。
【００４８】
また、側板にはバネ部材の伸縮を利用して取り付け、取り外しを行うので、側板への装着作業や取り外し作業が容易にできる。
【００４９】
また、リールのリサイクルが可能であり、既存のリールにおける側板の反りを矯正するために適し、大がかりな機構とならないので省スペース化が可能となり、経済性に優れ、かつ簡易なリール矯正装置が得られる。
【００５０】
さらに、係合部材は第１の板部の上部を第２の板部の先端上方へ曲げた形状としたので、リールへの装着時におけるの係合部材の開きを防止できる。
【図面の簡単な説明】
【図１】本発明のリール矯正装置の第１の実施の形態例を示し、（Ａ）はリールにリール矯正装置をリールに装着した状態を示す側面図、（Ｂ）は（Ａ）を右側から見た状態を示す正面図である。
【図２】図１（Ａ）に示したリール矯正装置を示す斜視図である。
【図３】図２に示した係合部材の変形形態例を示し、（Ａ）は側面図、（Ｂ）は正面図である。
【図４】図１（Ａ）に示したリール矯正装置をリールに装着した状態の要部を示す正面図である。
【図５】図３（Ａ）に示した係合部材をもつリール矯正装置をリールに装着した状態の要部を示す正面図である。
【図６】本発明のリール矯正装置の第２の実施の形態例を示し、リール矯正装置をリールに装着した状態を示す側面図である。
【図７】図６に示したリール矯正装置の変形例を示す側面図である。
【図８】（Ａ）は図６に示した係止部材に代わる例を示し、リール軸の腰部を一部断面して示した正面図、（Ｂ）は（Ａ）のリール軸の側面図である。
【図９】（Ａ）は図６に示した係止部材のさらに代わる例を示し、リール軸の腰部を一部断面して示した正面図、（Ｂ）は（Ａ）のリール軸の側面図である。
【図１０】従来のリール及びコンタクトを示す斜視図である。
【図１１】従来のリールを示し、（Ａ）は側面図、（Ｂ）は（Ａ）のｓ帳面図である。
【符号の説明】
１１，８７    リール
１３，９１    リール軸
１５，１６，９３，９４    側板
２３，２４    係合部材
２７，２８    線条部材
２１    バネ材
２１ａ，２１ｂ    係止部
２３ａ，２４ａ    第１の板部
２３ｂ，２４ｂ    第２の板部
２３ｃ，２４ｃ    底板部
２３ｄ，２４ｄ    穴
６１    係止部材
８１    １コンタクト
８３    巻取対象物（帯形状体）
【図１】
0003557518.tif 000002
【図２】
0003557518.tif 000003
【図３】
0003557518.tif 000004
【図４】
0003557518.tif 000005
【図５】
0003557518.tif 000006
【図６】
0003557518.tif 000007
【図７】
0003557518.tif 000008
【図８】
0003557518.tif 000009
【図９】
0003557518.tif 000010
【図１０】
0003557518.tif 000011
【図１１】
0003557518.tif 000012